(57)【要約】【課題】  手軽で楽しい応援グッズである笛付きバットにキャラクターグッズを取り付けたいのであるが、外周部分がバット特有の曲面で構成されているため、この面にキャラクターの頭部を模すなどした飾り部材を取り付けようとすると、この飾り部材がフラフラと振れてしまう問題があった。【解決手段】  打撃部と柄部とを弾力性を有する軟質合成樹脂により一体に成型した中空密閉のバット状体の外周面の一部に平坦部を設けてキャラクターの頭部を模すなどした飾り部材を取り付けた。笛の取り付けに関してはバット状体の側に設ける、飾り部材の側に設ける、双方の間に設けるの何れかの構成とした。【選択図】図１
2011138082.tif 000002
【特許請求の範囲】
【請求項１】
打撃部と柄部とを弾力性を有する軟質合成樹脂により一体に成型した中空密閉のバット状体の外周面の一部に平坦部を備え、該平坦部に飾り部材が設けられており、前記バット状体の一部に開孔部が設けられて、該開孔部に笛が取り付けられていることを特徴とする、打撃により笛の音を出すバット。
【請求項２】
打撃部と柄部とを弾力性を有する軟質合成樹脂により一体に成型した中空密閉のバット状体の外周面の一部に平坦部を備え、該平坦部に形状復元性を有する軟質合成樹脂性の中空密閉の飾り部材が設けられており、前記飾り部材の一部に開孔部が設けられて、該開孔部に笛が取り付けられていることを特徴とする、打撃により笛の音を出すバット。
【請求項３】
打撃部と柄部とを弾力性を有する軟質合成樹脂により一体に成型した中空密閉のバット状体の外周面の一部に平坦部を備え、該平坦部に形状復元性を有する軟質合成樹脂性の中空密閉の飾り部材が設けられており、前記平坦部と前記飾り部材とは両者が接触する部位に前記平坦部と前記飾り部材とを繋ぐ通気口としての開孔部が設けられて、該開孔部に笛が取り付けられていることを特徴とする、打撃により笛の音を出すバット。
【請求項４】
前記飾り部材がボール形状を呈する、請求項１乃至請求項３の何れか一に記載の打撃により笛の音を出すバット。
【発明の詳細な説明】
【技術分野】
【０００１】  本発明は主としてスポーツ観戦時に用いられる、打撃によって笛の音を出すことが出来るバットに関する。
【背景技術】
【０００２】  スポーツ観戦時に声援を送ったりサポータ同士の意気を高揚させるためのものとして、各種の応援用グッズが用いられている。例えばメガホンは拡声の役割を担うものであるが、ユーザーはただ拡声のためだけに用いるのではなく手で叩いたり振り回したりして応援に用いている。またメガホンを２個持っている場合にはこれ等を叩き合わせて応援するようなことも普通に行われている。この一例として当発明者の発明になる特許第３０９９２８４号のメガホンを上げる。【０００３】  また叩き合わせることによって音を発生させて応援するタイプの、２本の合成樹脂製のバット様体も広く用いられている。このようなバット様体に吹き口と開口部とを有してメガホンとして使用することが可能なタイプのものも提供されている。またバット様体と言うことであれば、弾力性を有する軟質合成樹脂により成型した中空密閉のバット状体の一部に開孔部を設けると共に、該開孔部に笛を取り付けて成る笛付きのバットも提供されている。このものは手で叩いたり２本を叩き合せると笛からピッピッと音が出るのであるが、振り回している内に自分に当ったり隣の人に当ったりしたとしても余り痛みを感じさせないと言う特性を有している。
【先行技術文献】
【特許文献】
【０００４】
【特許文献１】特許第３０９９２８４号「メガホン」
【発明の概要】
【発明が解決しようとする課題】
【０００５】  上述の笛付きバットは手軽に使用出来て楽しい応援グッズではあるが、当発明者はこれに例えばスポーツチームを表すキャラクターグッズを取り付けると更に興趣を惹起し得るものになるのではないかと思考した。例えばこのような応援用グッズを野球に用いるのであれば、応援するチームのキャラクターの頭部の模型が付いたものにすれば、更に応援に力が入り楽しいものとなるに違いない。【０００６】  しかしながらこのようなバット状体は、外周部分がバット特有の曲面で構成されているため、この面にキャラクターの頭部を模すなどした飾り部材を取り付けようとすると、この飾り部材がフラフラと振れることがある。またバット状体は応援の際に叩いて用いられるものであるため、叩いた衝撃で飾り部材が振らつくようになってしまうことがある。飾り部材が例えばポンポンのように振らついて良い場合は確かにあるが、振らついて困ると言うような場合では問題となる。【０００７】  そこで本発明は上述したような問題点を解決して、バット特有の外周曲面を有するバット状体に取り付けられたキャラクターの頭部などの飾り部材を安定化させる構造を実現することを課題とする。
【課題を解決するための手段】
【０００８】  本願の請求項１の発明は、打撃部と柄部とを弾力性を有する軟質合成樹脂により一体に成型した中空密閉のバット状体の外周面の一部に平坦部を備え、該平坦部にキャラクターの頭部を模すなどした飾り部材が設けられており、前記バット状体の一部に開孔部が設けられて、当該開孔部に笛が取り付けられていることを特徴とする、打撃により笛の音を出すバットである。【０００９】  バット状体の外周面の一部に平坦部を備えるようにしたので、この平坦部に飾り部材を設けるとここが曲面であった場合よりも飾り部材が安定した状態で取り付けられる。すなわちバット状体の外周面と飾り部材との少なくとも一側だけでも平坦に構成されていれば、両方とも曲面である場合に比して安定度合いがより高まるのである。そしてバット状体は弾力性を有する軟質合成樹脂によって中空密閉に構成され、その開孔部に笛が取り付けられているため、バット状体を手で叩くなどすると内部の空気が圧縮されて笛から外部に抜けるようになり、笛の音を発生するのである。【００１０】  本願の請求項２の発明は、打撃部と柄部とを弾力性を有する軟質合成樹脂により一体に成型した中空密閉のバット状体の外周面の一部に平坦部を備え、該平坦部に形状復元性を有する軟質合成樹脂性の中空密閉のキャラクターの頭部などの飾り部材が設けられており、当該飾り部材の一部に開孔部が設けられて、該開孔部に笛が取り付けられていることを特徴とする、打撃により笛の音を出すバットである。【００１１】  請求項１の発明と同様に、バット状体の外周面の一部に平坦部を備えているため、この平坦部に飾り部材を設けるとここが曲面であった場合よりも飾り部材が安定した状態で取り付けられる。そして飾り部材は形状復元性を有する軟質合成樹脂によって中空密閉に構成され、その開孔部に笛が取り付けられているため、請求項１の発明とは異なって飾り部材を手で叩くなどすると、飾り部材の内部の空気が圧縮されて笛から外部に抜けるようになり、笛の音を発生することになるのである。【００１２】  本願の請求項３の発明は、打撃部と柄部とを弾力性を有する軟質合成樹脂により一体に成型した中空密閉のバット状体の外周面の一部に平坦部を備え、該平坦部に形状復元性を有する軟質合成樹脂性の中空密閉のキャラクターの頭部などの飾り部材が設けられており、前記平坦部と前記飾り部材とは双方が接触する部位に前記平坦部と前記飾り部材とを繋ぐ通気口としての開孔部が設けられて、該開孔部に通気道としての笛が取り付けられていることを特徴とする、打撃により笛の音を出すバットである。【００１３】  請求項１や請求項２の発明と同様に、バット状体の外周面の一部に平坦部を備えているため、この平坦部に飾り部材を設けるとここが曲面であった場合よりも安定した状態で取り付けられる。そしてバット状体は弾力性を有する軟質合成樹脂によって中空密閉に構成されており、且つ飾り部材は形状復元性を有する軟質合成樹脂によって中空密閉に構成され、その開孔部に笛が取り付けられている。従って飾り部材を手で叩くなどすると飾り部材の内部の空気が圧縮されて、空気は請求項１や請求項２の発明とは異なって飾り部材からバット状体へ抜けるようになる。またその逆にバット状体を手で叩くなどするとバット状体の内部の空気が圧縮されて、空気はバット状体から飾り部材へ抜けるようになる。そこでここには何れかの空気の流れで鳴る笛を設けておけば良いことになる。或いは何れの空気の流れによっても鳴らすことが出来る笛を設けるようにしても良い。【００１４】  次に、上述した３種の発明の各々に関して、前記飾り部材がボール形状を呈するものとすることが出来る。ボールも球技に於けるキャラクターであると言うことが出来る。【００１５】  例えば野球観戦に用いるものとして、飾り部材にチームを表すのではなく野球と言う競技そのものを表すものとしての野球のボールを用いるようにするのである。なおボールであっても選手のサインを入れるなどすればチームを表すことが可能である。
【発明の効果】
【００１６】  本発明によれば、バット状体の外周面の一部に平坦部を備え、該平坦部に飾り部材を設けたものとしたため、両方とも曲面である場合に比して飾り部材の安定度がより高いものとなる効果を奏している。
【図面の簡単な説明】
【００１７】
【図１】  第１実施形態の外観を表した説明図である。
【図２】  この一部分を断面図で表した説明図である。
【図３】  第２実施形態の一部分を断面図で表した説明図である。
【図４】  第３実施形態の一部分を断面図で表した説明図である。
【発明を実施するための形態】
【００１８】  以下では本発明の３種類の実施形態を図面を参照しつつ説明するが、本発明はこれ等の実施形態に限定されるものではない。
【００１９】  第１実施形態
図１及び図２で本実施形態の応援用の笛付きバットを表わす。このものは柄部１４と打撃部１０とが一体に成型されたバット状体１であって、弾力性を有する軟質ポリエチレン樹脂を素材として用いており、中空密閉のバット状体１の外周面の一部に平坦部１１を備えている。この平坦部１１に飾り部としてのキャラクターヘッド２が、その底面部の平坦部２０を以て平坦部１１に固定されている。このキャラクターヘッド２も軟質ポリエチレン樹脂製に成るものである。そして前記打撃部１０の柄部１４に近い部位に開孔部１２が設けられている。この開孔部１２には段部１３が形成されており、笛３は開孔部１２から挿入されて、都合良く段部１３に納まるようになっている（図２）。なおこの笛３には極めて狭い空気通路しか形成されておらず、バット状体１の内部は殆ど密閉された状態であると見做して良いため、中空密閉のバット状体１と称している。
【００２０】  本バット状体１に於いて打撃部１０としたのは、実際にここでボールを打つことが出来るからであるが、主として手で叩いたり２本のバット状体１を叩き合わせるようにして使用される。そこで一方の手で柄部１４を握り、他方の手で打撃部１０を叩くと言う使い方をした場合、打撃部１０が潰れてバット状体１の内部の空気圧が急速に高まり、図２で表されるように空気の流れＡがバット状体１の内部から笛３内を抜けてバット状体１の外へと勢い良く移動し、笛３が良い音色を発生する。しかしながら芯から外れるなどしてうまく叩けなかった場合では、打撃部１０の圧縮は僅かと成り殆ど鳴らないか鳴っても良い音は出ない。バット状体１は弾力性を有する軟質ポリエチレン樹脂成型に成るものであるため、暫くすると形状が復元して笛３を通して空気がバット状体１の内へと戻って来る。
【００２１】  本実施形態ではバット状体１の外周面の一部に平坦部１１を備えているため、ここに飾り部としてのキャラクターヘッド２を取り付けることによって取り付けの安定度が向上している。加えてキャラクターヘッド２の底面部にも平坦部２０が設けられているため、双方の平坦部２０と平坦部１１とが合うことでより一層の安定度が得られている。本実施形態が有する安定感はバット状体１を叩く場合のみならずバット状体１を振る場合にも顕著に現われる。なお平坦部２０を設けない構成も可能である。またキャラクターヘッド２が極めて柔軟な素材からなるものであれば、平坦部１１に取り付けられる際に変形して恰も平坦部のようになり得る。またキャラクターヘッド２を中空なものとしたが、本実施形態では特に中空なものである必要はない。
【００２２】  第２実施形態
次に図３で本実施形態の応援用の笛付きバットを表わす。このものは柄部１４と打撃部１０とが一体に成型された、弾力性を有する中空密閉のバット状体１であり（全体は図示しないが第１実施形態に倣う）、打撃部１０の外周面の一部に平坦部１１を備えており、この平坦部１１に飾り部としての弾力性を有する中空密閉のキャラクターヘッド２が、その底面部の平坦部２０を以て固定されている。またこのキャラクターヘッド２の一部には開孔部２１が設けられて、この開孔部２１に笛３０が取り付けられている。
【００２３】  キャラクターヘッド２を叩くと、キャラクターヘッド２が潰れて内部の空気圧が急速に高まり、図３で表されるように空気の流れＢがキャラクターヘッド２の内部から笛３０内を抜けてキャラクターヘッド２の外へと勢い良く移動して、笛３０が良い音色を発生する。なおキャラクターヘッド２は弾力性を有するものであるため、暫くすると形状が復元して笛３０を通して空気がキャラクターヘッド２の中に戻って来る。
【００２４】  本実施形態に於いても打撃部１０の外周面の一部に平坦部１１を備えており、またキャラクターヘッド２の底面部にも平坦部２０が設けられているため、平坦部２０と平坦部１１とを合わせるようにしてバット状体１にキャラクターヘッド２を取り付けることによって、単に取り付けの安定度を高めるのみならず、叩いたり振ったりした際の安定度を向上させることにも成功している。
【００２５】  第３実施形態
次に図４で本実施形態の応援用の笛付きバットを表わす。このものは柄部１４と打撃部１０とが一体に成型された、弾力性を有する中空密閉のバット状体１であり、打撃部１０の外周面の一部に平坦部１１を備えており、この平坦部１１に飾り部としての弾力性を有する中空密閉のボール４が、その底面部の平坦部４０を以て固定されている。またこのボール４の平坦部４０と、このボール４を取り付けている打撃部１０の側の平坦部１１との間には、互いの空気流通を可能にする通気口としての開孔部４１及び開孔部１５が設けられており、これ等の開孔部４１、開孔部１５に笛３１が挿着されている。
【００２６】  そこで打撃部１０を叩いた場合、打撃部１０が潰れて打撃部１０の内部の空気圧が急速に高まり、図４で表されるように空気の流れＣが打撃部１０の内部から笛３１内を抜けてボール４の側へと勢い良く移動し笛３１が良い音色を発生する。この際のボール４の側の圧力の高まりと、ボール４及び打撃部１０が備える形状復元力とによって、双方の形状が復元して笛３１を通して空気の流れＤが生じて空気が打撃部１０の中に戻って来る。なおこの際にも笛３１は音を発生するものである。またボール４を叩くとこの場合には空気の流れＤが生じて笛３１が良い音色を発生する。そして暫くすると空気の流れＣを伴って双方の形状が復元するのである。
【００２７】  本実施形態に於いても打撃部１０の外周面の一部に平坦部１１を備えており、またボール４にも平坦部４０が設けられているため、平坦部４０と平坦部１１とを合わせるようにして打撃部１０にボール４を取り付けると、ボール４は打撃部１０にしっかりと固定される。叩いたり振ったりする際にもボール４は安定した状態を保つことが出来る。
【００２８】  以上、各種の実施形態を説明したが、本発明はこれ等に限定されるものではなく、例えばバット状体や飾り部材の形状や材質は任意であり、笛の種類も自由に選択して良い。また第３実施形態に於いて、笛３１の代わりに空気の流れＣのみで鳴る笛を開孔部４１、開孔部１５との間に用いると共に、この空気の流れＣを空気の流れＥなどとしてボール４の外に出すべくボール４に別の開孔部を備えた構成としたり、また笛３１の代わりに空気の流れＤのみで鳴る笛を開孔部４１、開孔部１５との間に用いると共に、この空気の流れＤを空気の流れＥなどとして打撃部１０の外に出すべく、打撃部１０に別の開孔部を備えた構成とすることが可能である。これ等の場合も開口部は笛を鳴らすためだけの小さいものであるから、打撃部１０やボール４の内部は殆ど密閉された状態であると見做して良い。このような構成のものも本発明の権利範囲内のものである。
【産業上の利用可能性】
【００２９】  この発明の打撃により笛の音を出すバットはバット以外の形状のもの、例えば掌の形を模した曲面部を有するものとして提供することが出来る。また手で叩くのみならず、軟質の安全な素材を用いて人の頭部やペットの体を叩くことが可能なおもちゃ等として構成することが出来る。
【符号の説明】
【００３０】１    バット状体
１０  打撃部
１１  平坦部
１２  開孔部
１３  段部
１４  柄部
１５  開孔部
２    キャラクターヘッド
２０  平坦部
２１  開孔部
３    笛
３０  笛
３１  笛
４    ボール
４０  平坦部
４１  開孔部
【図１】
2011138082.tif 000003
【図２】
2011138082.tif 000004
【図３】
2011138082.tif 000005
【図４】
2011138082.tif 000006